【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
非磁性材質の分離部材と、
前記分離部材の一方の外面に沿って配置されて前記分離部材に対して相対移動が可能である収容部材と、
前記収容部材に収容されて、そのＮ極及びＳ極が前記分離部材の前記一方の外面に沿って配列されるように配置された少なくとも１つの可動磁石と、
前記分離部材の他方の外面に配置された少なくとも１つの受動磁石であって、磁気力により前記少なくとも１つの可動磁石と結合され、前記受動磁石に及ぼす前記可動磁石の磁気吸引力が最大である最大吸引力作用領域が、前記受動磁石の回転中心から偏心されるように配置されて、前記収容部材と前記分離部材とが相対移動すれば、前記分離部材の前記他方の外面上で前記少なくとも１つの可動磁石に従って移動しながら回転する前記少なくとも１つの受動磁石と、
前記分離部材及び前記収容部材の少なくとも１つを駆動して前記少なくとも１つの可動磁石を前記分離部材に対して相対移動させる駆動手段とを有する磁石回転装置。
【請求項２】
前記受動磁石は両面２極磁石であり、Ｎ極及びＳ極のいずれか１つの磁極面が前記分離部材の前記他方の外面に吸着される請求項１に記載の磁石回転装置。
【請求項３】
前記受動磁石は円柱形の両面２極磁石であり、その外周面が前記分離部材の前記他方の外面に吸着される請求項１に記載の磁石回転装置。
【請求項４】
非磁性材質の分離部材と、
前記分離部材の一方の外面に沿って配置されて前記分離部材に対して相対移動が可能である収容部材と、
前記収容部材に収容されて、その夫々のＮ極及びＳ極のいずれか１つの磁極が前記分離部材の一方の外面に沿って配列されるように配置された少なくとも２つ以上の可動磁石と、
前記分離部材の他方の外面に配置された少なくとも１つの受動磁石であって、磁気力により前記少なくとも２つ以上の可動磁石と結合され、前記受動磁石に及ぼす前記少なくとも２つ以上の可動磁石の磁気吸引力が最大である最大吸引力作用領域が、前記受動磁石の回転中心から偏心されるように配置されて、前記収容部材と前記分離部材とが相対移動すれば、前記分離部材の前記他方の外面上で前記少なくとも２つ以上の可動磁石に従って移動しながら回転する前記少なくとも１つの受動磁石と、
前記分離部材及び前記収容部材の少なくとも１つを駆動して前記少なくとも２つ以上の可動磁石を前記分離部材に対して相対移動させる駆動手段とを有する磁石回転装置。
【請求項５】
前記少なくとも２つ以上の可動磁石は、夫々両面２極磁石であり、夫々の可動磁石が互いに隣接して配置されてＮ極及びＳ極が交互に配置される請求項４に記載の磁石回転装置。
【請求項６】
前記受動磁石は両面２極磁石であり、Ｎ極及びＳ極のいずれか１つの磁極面が前記分離部材の前記他方の外面に吸着される請求項５に記載の磁石回転装置。
【請求項７】
前記少なくとも２つ以上の可動磁石は、磁極面が大きい可動磁石と磁極面が小さい可動磁石とを含み、前記受動磁石は磁極面が小さい可動磁石側に配置される請求項６に記載の磁石回転装置。
【請求項８】
前記受動磁石は、円柱形の両面２極磁石であり、その外周面は前記分離部材の前記他方の外面に吸着される請求項５に記載の磁石回転装置。
【請求項９】
前記受動磁石と磁気力により結合された２つの可動磁石を含み、
前記２つの可動磁石は、同一極性の磁極が前記分離部材の前記一方の外面に隣接し、かつ前記２つの可動磁石間に間隔を有するように配置され、
前記受動磁石は両面２極磁石であり、そのＮ極及びＳ極のいずれか１つの磁極面が前記分離部材の前記他方の外面に吸着され、前記２つの可動磁石の前記間隔の間に配置される請求項４に記載の磁石回転装置。
【請求項１０】
非磁性材質の分離部材と、
前記分離部材の一方の外面に沿って配置されて前記分離部材に対して相対移動が可能である収容部材と、
前記収容部材に収容されて、そのＮ極及びＳ極のいずれか１つの磁極が前記分離部材の前記一方の外面に沿って配列されるように配置された少なくとも１つの可動磁石と、
前記可動磁石に対向する位置において前記分離部材の他方の外面に配置され、かつ前記少なくとも１つの可動磁石と前記分離部材との相対移動経路に沿って配置された非磁性材質の隔離部材と、
前記分離部材の前記他方の外面上で前記隔離部材の一側に配置され、磁気力により前記可動磁石と結合された少なくとも１つの受動磁石であって、前記受動磁石は円柱形の両面２極磁石であり、そのＮ極及びＳ極のいずれか１つの磁極面が前記分離部材の前記他方の外面に吸着されるように配置され、前記収容部材と前記分離部材とが相対移動すれば、前記分離部材の前記他方の外面上で前記少なくとも１つの可動磁石に従って移動しながら回転する前記少なくとも１つの受動磁石と、
前記分離部材及び前記収容部材の少なくとも１つを駆動して前記少なくとも１つの可動磁石を前記分離部材に対して相対移動させる駆動手段とを有する磁石回転装置。
【請求項１１】
前記分離部材はコンベヤーベルトであり、
前記収容部材は前記コンベヤーベルトの内側に配置され、
前記駆動手段は前記分離部材を移動させるベルトコンベヤー装置である請求項１から１０のいずれか一項に記載の磁石回転装置。
【請求項１２】
前記分離部材の前記他方の一面に、少なくとも一側が傾斜するように形成され、前記受動磁石の位置を変換させる傾斜突起部を有する請求項１から８のいずれか一項に記載の磁石回転装置。
【請求項１３】
請求項１から１０のいずれか一項に記載の磁石回転装置と、
前記磁石回転装置内の受動磁石から延設されたクランク軸に結合される回転物とを有する回転装飾物。
【手続補正２】
【補正対象書類名】明細書
【補正対象項目名】０００８
【補正方法】変更
【補正の内容】
【０００８】
上記目的を達成するために、本発明に係る磁石回転装置は、非磁性材質の分離部材と、前記分離部材の一方の外面に沿って配置されて前記分離部材に対して相対移動が可能である収容部材と、前記収容部材に収容されて、そのＮ極及びＳ極が前記分離部材の前記一方の外面に沿って配列されるように配置された少なくとも１つの可動磁石と、前記分離部材の他方の外面に配置された少なくとも１つの受動磁石であって、磁気力により前記少なくとも１つの可動磁石と結合され、前記受動磁石に及ぼす前記可動磁石の磁気吸引力が最大である最大吸引力作用領域が、前記受動磁石の回転中心から偏心されるように配置されて、前記収容部材と前記分離部材とが相対移動すれば、前記分離部材の前記他方の外面上で前記少なくとも１つの可動磁石に従って移動しながら回転する前記少なくとも１つの受動磁石と、前記分離部材及び前記収容部材の少なくとも１つを駆動して前記少なくとも１つの可動磁石を前記分離部材に対して相対移動させる駆動手段とを有する。
【手続補正３】
【補正対象書類名】明細書
【補正対象項目名】０００９
【補正方法】変更
【補正の内容】
【０００９】
本発明の他の実施例に係る磁石回転装置は、非磁性材質の分離部材と、前記分離部材の一方の外面に沿って配置されて前記分離部材に対して相対移動が可能である収容部材と、前記収容部材に収容されて、その夫々のＮ極及びＳ極のいずれか１つの磁極が前記分離部材の一方の外面に沿って配列されるように配置された少なくとも２つ以上の可動磁石と、前記分離部材の他方の外面に配置された少なくとも１つの受動磁石であって、磁気力により前記少なくとも２つ以上の可動磁石と結合され、前記受動磁石に及ぼす前記少なくとも２つ以上の可動磁石の磁気吸引力が最大である最大吸引力作用領域が、前記受動磁石の回転中心から偏心されるように配置されて、前記収容部材と前記分離部材とが相対移動すれば、前記分離部材の前記他方の外面上で前記少なくとも２つ以上の可動磁石に従って移動しながら回転する前記少なくとも１つの受動磁石と、前記分離部材及び前記収容部材の少なくとも１つを駆動して前記少なくとも２つ以上の可動磁石を前記分離部材に対して相対移動させる駆動手段とを有する。
【手続補正４】
【補正対象書類名】明細書
【補正対象項目名】００１０
【補正方法】変更
【補正の内容】
【００１０】
本発明のさらに他の実施例に係る磁石回転装置は、非磁性材質の分離部材と、前記分離部材の一方の外面に沿って配置されて前記分離部材に対して相対移動が可能である収容部材と、前記収容部材に収容されて、そのＮ極及びＳ極のいずれか１つの磁極が前記分離部材の前記一方の外面に沿って配列されるように配置された少なくとも１つの可動磁石と、前記可動磁石に対向する位置において前記分離部材の他方の外面に配置され、かつ前記少なくとも１つの可動磁石と前記分離部材との相対移動経路に沿って配置された非磁性材質の隔離部材と、前記分離部材の前記他方の外面上で前記隔離部材の一側に配置され、磁気力により前記可動磁石と結合された少なくとも１つの受動磁石であって、前記受動磁石は円柱形の両面２極磁石であり、そのＮ極及びＳ極のいずれか１つの磁極面が前記分離部材の前記他方の外面に吸着されるように配置され、前記収容部材と前記分離部材とが相対移動すれば、前記分離部材の前記他方の外面上で前記少なくとも１つの可動磁石に従って移動しながら回転する前記少なくとも１つの受動磁石と、前記分離部材及び前記収容部材の少なくとも１つを駆動して前記少なくとも１つの可動磁石を前記分離部材に対して相対移動させる駆動手段とを有する。